(57)【要約】【課題】携帯端末に装着した場合であっても携帯端末が有する光学的な機能をそのまま使用することができる撮影補助具を提供する。【解決手段】撮影補助具は、携帯端末の表面に所定の位置関係で配置された撮影窓及び光学窓を覆うように表面に着脱可能に取り付けられる筐体を有する。携帯端末に筐体が装着された場合に、撮影窓に対向する位置に設けられた第１の窓及び光学窓に対向する位置に設けられた第２の窓を有する。所定の位置関係と異なる位置関係で、第１の窓及び第２の窓が設けられた面とは異なる面に設けられた、第１の窓に対応する第３の窓及び第２の窓に対応する第４の窓を有する。第１の窓と第３の窓とを結ぶ第１の光路を形成し、被写体の像を所定の拡大率で撮影窓へ導光する第１光学系を有する。第２の窓と第４の窓とを結び、且つ第１の光路を迂回する第２の光路を形成する第２光学系を有する。【選択図】図４Ｂ
2013200473.tif 000002
【特許請求の範囲】
【請求項１】
携帯端末の表面に所定の位置関係で配置された撮影窓及び光学窓を覆うように前記表面に着脱可能に取り付けられる筐体を有する撮影補助具であって、
前記筐体には、
前記携帯端末に前記筐体が装着された場合に、前記撮影窓に対向する位置に設けられた第１の窓及び前記光学窓に対向する位置に設けられた第２の窓と、
前記所定の位置関係とは異なる位置関係で、前記第１の窓及び前記第２の窓が設けられた面とは異なる面に設けられた、前記第１の窓に対応する第３の窓及び前記第２の窓に対応する第４の窓と、
前記第１の窓と前記第３の窓とを結ぶ第１の光路を形成し、被写体の像を所定の拡大率で前記撮影窓へ導光する第１光学系と、
前記第２の窓と前記第４の窓とを結び、且つ前記第１の光路を迂回する第２の光路を形成する第２光学系と、
が設けられていることを特徴とする撮影補助具。
【請求項２】
前記筐体内に設けられ、前記第１光学系を覆う遮蔽部材を有し、
前記第２の光路は、前記遮蔽部材の形状に沿って迂回するよう形成されていることを特徴とする請求項１記載の撮影補助具。
【請求項３】
前記第２の光路は、前記第１の光路において光路径が最小となる位置で迂回するよう形成されていることを特徴とする請求項１記載の撮影補助具。
【請求項４】
前記第１光学系は、前記第１の光路上に、
前記第３の窓からの光を透過するレンズと、
前記レンズの後側に設けられ、前記レンズから出射された光の光束を絞る絞り部材と、
を有し、
前記第２の光路は、前記レンズと前記絞り部材との間で迂回するよう形成されていることを特徴とする請求項１記載の撮影補助具。
【請求項５】
前記第２光学系は、複数の光ファイバにより形成されるファイバ束であることを特徴とする請求項１〜４のいずれかに記載の撮影補助具。
【請求項６】
前記迂回する位置の近傍における前記ファイバ束の断面形状と、それ以外の位置における前記ファイバ束の断面形状とが異なることを特徴とする請求項５記載の撮影補助具。
【請求項７】
前記光学窓は、前記携帯端末の発光素子から発光された光を外部に出射する窓であることを特徴とする請求項１〜６のいずれかに記載の撮影補助具。
【請求項８】
前記光学窓は、前記携帯端末の赤外線送信部から送信された赤外線を外部に出射する窓であることを特徴とする請求項１〜６のいずれかに記載の撮影補助具。
【請求項９】
前記光学窓は、前記携帯端末の赤外線受信部で受信される赤外線が入射する窓であることを特徴とする請求項１〜６のいずれかに記載の撮影補助具。
【請求項１０】
前記第２光学系は、前記携帯端末に設けられた２以上の光学窓に対応する２以上の前記第２の光路それぞれが、前記第１の光路を迂回するよう形成されていることを特徴とする請求項１〜９のいずれかに記載の撮影補助具。
【発明の詳細な説明】
【技術分野】
【０００１】
この発明は、撮影補助具に関する。
【背景技術】
【０００２】
近年、携帯電話（スマートフォン）、ＰＤＡ（Ｐｅｒｓｏｎａｌ  Ｄｉｇｉｔａｌ  Ａｓｓｉｓｔａｎｔ）等の携帯端末が普及している。これらの携帯端末には、デジタルカメラの機能を搭載しているものが多い。
【０００３】
このような携帯端末に用いる撮影補助具としてコンバージョンレンズがある（たとえば、特許文献１参照）。コンバージョンレンズは、携帯端末の撮影窓（たとえば、携帯端末の裏面等に設けられ、携帯端末内のカメラモジュールに被写体の像を導くための窓）に直接装着することで、携帯端末が元々有している撮影用レンズ（標準レンズ）の拡大率を変化させることができる。このように着脱式のコンバージョンレンズは、携帯端末のように、レンズ交換ができない機器には特に有効である。コンバージョンレンズは、標準レンズと組み合わせることで、実効的な焦点距離を変更し、拡大率を変更するものである。コンバージョンレンズは、その拡大率（或いは焦点距離）に応じて、望遠用レンズ、接写用レンズ、広角レンズ、フィッシュアイレンズ等様々な種類がある。
【０００４】
また、携帯端末は、デジタルカメラの機能の他にカメラ撮影時に用いるフラッシュ機能や赤外線通信機能等、複数の光学的な機能を有している。これらの光学的な機能は、携帯端末の光学窓（たとえば、携帯端末の裏面等に設けられ、携帯端末内の発光素子で発光した光を外部に出射するための窓）を介して実現される。
【先行技術文献】
【特許文献】
【０００５】
【特許文献１】特開２０１１−５３２８７号公報
【特許文献２】特開２００６−８１８４２号公報
【発明の概要】
【発明が解決しようとする課題】
【０００６】
ここで、コンバージョンレンズを携帯端末に装着する場合、コンバージョンレンズのサイズや撮影窓と光学窓とのレイアウトによっては、たとえば、フラッシュ用の光学窓がコンバージョンレンズで隠れてしまい、携帯用端末のフラッシュ機能を使用することができない可能性がある。
【０００７】
この場合、特許文献２のように撮影用補助装置自体に発光素子を設けることにより、上記問題を解決することはできる。しかし、特許文献２の構成によれば、撮影用補助装置自体に発光素子及びバッテリー等を設けなければならない。従って、撮影用補助装置が大型化するという問題がある。
【０００８】
この発明は上記問題点を解決するものであり、携帯端末に装着した場合であっても携帯端末が有する光学的な機能をそのまま使用することができる撮影補助具を提供することを目的とする。
【課題を解決するための手段】
【０００９】
上記課題を解決するために、請求項１記載の撮影補助具は、携帯端末の表面に所定の位置関係で配置された撮影窓及び光学窓を覆うように表面に着脱可能に取り付けられる筐体を有する。筐体には、携帯端末に筐体が装着された場合に、撮影窓に対向する位置に設けられた第１の窓及び光学窓に対向する位置に設けられた第２の窓が設けられている。筐体には、所定の位置関係とは異なる位置関係で、第１の窓及び第２の窓が設けられた面とは異なる面に設けられた、第１の窓に対応する第３の窓及び第２の窓に対応する第４の窓が設けられている。筐体には、第１の窓と第３の窓とを結ぶ第１の光路を形成し、被写体の像を所定の拡大率で撮影窓へ導光する第１光学系が設けられている。筐体には、第２の窓と第４の窓とを結び、且つ第１の光路を迂回する第２の光路を形成する第２光学系が設けられている。
また、上記課題を解決するために、請求項２記載の撮影補助具は、請求項１記載の撮影補助具であって、筐体内に設けられ、第１光学系を覆う遮蔽部材を有する。第２の光路は、遮蔽部材の形状に沿って迂回するよう形成されている。
また、上記課題を解決するために、請求項３記載の撮影補助具は、請求項１記載の撮影補助具であって、第２の光路は、第１の光路において光路径が最小となる位置で迂回するよう形成されている。
また、上記課題を解決するために、請求項４記載の撮影補助具は、請求項１記載の撮影補助具であって、第１光学系は、第１の光路上に、レンズと、絞り部材とを有する。レンズは、第３の窓からの光を透過する。絞り部材は、レンズの後側に設けられ、レンズから出射された光の光束を絞る。第２の光路は、レンズと絞り部材との間で迂回するよう形成されている。
また、上記課題を解決するために、請求項５記載の撮影補助具は、請求項１〜４のいずれかに記載の撮影補助具であって、第２光学系は、複数の光ファイバにより形成されるファイバ束である。
また、上記課題を解決するために、請求項６記載の撮影補助具は、請求項５記載の撮影補助具であって、迂回する位置の近傍におけるファイバ束の断面形状と、それ以外の位置におけるファイバ束の断面形状とが異なる。
また、上記課題を解決するために、請求項７記載の撮影補助具は、請求項１〜６のいずれかに記載の撮影補助具であって、光学窓は、携帯端末の発光素子から発光された光を外部に出射する窓である。
また、上記課題を解決するために、請求項８記載の撮影補助具は、請求項１〜６のいずれかに記載の撮影補助具であって、光学窓は、携帯端末の赤外線送信部から送信された赤外線を外部に出射する窓である。
また、上記課題を解決するために、請求項９記載の撮影補助具は、請求項１〜６のいずれかに記載の撮影補助具であって、光学窓は、携帯端末の赤外線受信部で受信される赤外線が入射する窓である。
また、上記課題を解決するために、請求項１０記載の撮影補助具は、請求項１〜９のいずれかに記載の撮影補助具であって、第２光学系は、携帯端末に設けられた２以上の光学窓に対応する２以上の第２の光路それぞれが、第１の光路を迂回するよう形成されている。
【発明の効果】
【００１０】
このように、本発明における撮影補助具によれば、携帯端末に装着した場合であっても携帯端末が有する光学的な機能（フラッシュ機能、赤外線通信等）をそのまま使用することができる。
【図面の簡単な説明】
【００１１】
【図１】第１実施形態に係る携帯端末及び撮影補助具を示す図である。
【図２】第１実施形態に係る携帯端末を示す図である。
【図３Ａ】第１実施形態に係る撮影補助具を示す図である。
【図３Ｂ】第１実施形態に係る撮影補助具を示す図である。
【図４Ａ】第１実施形態に係る携帯端末及び撮影補助具を示す図である。
【図４Ｂ】第１実施形態に係る携帯端末及び撮影補助具を示す図である。
【図５】第２実施形態に係る携帯端末及び撮影補助具を示す図である。
【図６】第２実施形態に係る携帯端末を示す図である。
【図７Ａ】第２実施形態に係る撮影補助具を示す図である。
【図７Ｂ】第２実施形態に係る撮影補助具を示す図である。
【図８】第２実施形態に係る携帯端末及び撮影補助具を示す図である。
【図９】変形例２に係る絞り部材を示す図である。
【図１０】変形例３に係る携帯端末及び撮影補助具を示す図である。
【図１１Ａ】変形例３に係る第２光学系を示す図である。
【図１１Ｂ】変形例３に係る第２光学系を示す図である。
【図１２】変形例４に係る撮影補助具を示す図である。
【発明を実施するための形態】
【００１２】
＜第１実施形態＞
図１から図４Ｂを用いて第１実施形態に係る撮影補助具１について説明する。図１は、撮影補助具１が携帯端末２０に取り付けられた構成を示す。撮影補助具１は、たとえば、筐体１０に設けられた装着部材（図示なし。たとえば、磁石、吸盤等）により、携帯端末２０に着脱可能に接続される。
【００１３】
本実施形態では、携帯端末２０がカメラ付きスマートフォン等の携帯電話である場合を例として説明するが、これに限定されるものではない。すなわち、携帯端末は、電池（バッテリ）を使用可能なものであればよい。たとえば、ＰＤＡ、ＰＨＳ（Ｐｅｒｓｏｎａｌ  Ｈａｎｄｙｐｈｏｎｅ  Ｓｙｓｔｅｍ）、携帯式音声／画像プレーヤー／レコーダー（ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、大容量情報記憶媒体、半導体メモリ等）、デジタルムービーカメラ、携帯ゲーム機、携帯式ハードディスクドライブ、カーナビゲーション装置等でもよい。
【００１４】
［携帯端末の構成］
図２は、携帯端末２０（携帯電話）を後側（ディスプレイ等が無い側）から見た斜視図である。
【００１５】
本実施形態において、携帯端末２０の後面２０ａの左上側には、撮影窓２１と、光学窓２２が所定の位置関係（後面２０ａの短手方向に並んで、且つ近接した位置）で設けられている。
【００１６】
撮影窓２１は、携帯端末２０内に設けられたカメラモジュール２３（図４Ａ参照）に被写体の像を導く窓である。撮影窓２１は、撮影補助具１が取り付けられていない状態において、直接、カメラモジュール２３に被写体の像を導く。
【００１７】
カメラモジュール２３は、標準レンズを含むレンズユニット、ＩＲカットフィルター、ＣＯＭＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）やＣＣＤ（Ｃｈａｒｇｅ  Ｃｏｕｐｌｅｄ  Ｄｅｖｉｃｅ）等のイメージセンサ、ＤＳＰ（Ｄｉｇｉｔａｌ  Ｓｉｇｎａｌ  Ｐｒｏｃｅｓｓｏｒ）等（いずれも図示なし）により構成されている。被写体の像（光）をイメージセンサで電気信号に変換し、ＤＳＰで画像処理することにより、被写体の画像を得ることができる。
【００１８】
光学窓２２は、携帯端末２０内に設けられた素子等に対して光を送受信する窓である。本実施形態では、光学窓２２は、携帯端末２０内に設けられた発光素子２４（図４Ａ及び図４Ｂ参照）から発光された光を外部に出射する。光学窓２２は、撮影補助具１が取り付けられていない状態において、直接、発光素子２４からの光を外部に出射する。発光素子２４からの光は、フラッシュ撮影に用いられる。
【００１９】
なお、小型化された携帯端末２０においては、バッテリーサイズ等の問題から発光量が少なくなる。よって、フラッシュ撮影用の光学窓２２と撮影窓２１とは近接した位置に設けられる場合が多い（発光量を多くできる場合には、必ずしも近接した位置に設ける必要は無い）。
【００２０】
光学窓２２は、フラッシュ撮影用に限られない。たとえば、赤外線送受信用やオートフォーカス用の光学窓２２であってもよい。
【００２１】
更に、携帯端末２０は、前面２０ｂ及び側面２０ｃを有する。前面２０ｂには、たとえば、タッチパネル式のディスプレイ（図示なし）が設けられている。操作者はタッチパネルのアイコンを選択することにより、被写体の撮影やフラッシュの切り換え等を行うことができる。
【００２２】
なお、撮影窓２１及び光学窓２２は、後面２０ａの左上の位置に限らず、所定の位置に設けることが可能である。また、撮影窓２１及び光学窓２２は、前面２０ｂや側面２０ｃに設けられていてもよい。本実施形態における後面２０ａ、前面２０ｂ、側面２０ｃは、「携帯端末の表面」の一例である。
【００２３】
［撮影補助具の構成］
次に、図３Ａ〜図４Ｂを参照して、撮影補助具１の詳細な構成について説明を行う。図３Ａ及び図３Ｂは、撮影補助具１の斜視図である。図３Ａは、携帯端末２０に取り付けられる面（後面１０ａ）側から撮影補助具１を見た図である。図３Ｂは、後面１０ａと異なる面（反対側の面。前面１０ｂ）側から撮影補助具１を見た図である。図４Ａは、図１のＡ−Ａ断面である。図４Ｂは、図１のＢ−Ｂ断面である。
【００２４】
撮影補助具１は、第１光学系Ｏａ（後述）等を収容する筐体１０を有している。本実施形態において、筐体１０は、直方体の形状をなしているが、形状はこれに限られない。撮影窓２１及び光学窓２２の配置や撮影補助具１に求められる機能（たとえば、広角撮影用、望遠撮影用等）に応じて、任意の形状を採用することができる。
【００２５】
図３Ａに示すように、筐体１０の後面１０ａには、第１の窓１１ａ及び第２の窓１２ａが設けられている。
【００２６】
第１の窓１１ａ及び第２の窓１２ａは、光を透過する部材（たとえば、ガラスやプラスチック）により形成されている。第１の窓１１ａは、携帯端末２０に撮影補助具１（筐体１０）が装着された場合に、携帯端末２０の撮影窓２１に対向する位置に設けられている。第２の窓１２ａは、携帯端末２０に撮影補助具１（筐体１０）が装着された場合に、携帯端末２０の光学窓２２に対向する位置に設けられている。すなわち、第１の窓１１ａ及び第２の窓１２ａの位置関係は、撮影窓２１及び光学窓２２の位置関係と等しくなっている。
【００２７】
一方、図３Ｂに示すように、筐体１０の前面１０ｂには、第３の窓１１ｂ及び第４の窓１２ｂが設けられている。
【００２８】
第３の窓１１ｂ及び第４の窓１２ｂは、光を透過する部材（たとえば、ガラスやプラスチック）により形成されている。第３の窓１１ｂ及び第４の窓１２ｂの位置関係は、第１の窓１１ａ及び第２の窓１２ａの位置関係と異なっている。本実施形態では、第３の窓１１ｂは、第１の窓１１ａに対し、筐体１０の長手方向にずれた位置（筐体１０の短手方向は同じ位置）に形成されている。第４の窓１２ｂは、第２の窓１２ａに対向する位置に設けられている。
【００２９】
図４Ａ及び図４Ｂに示すように、筐体１０内には、第１光学系Ｏａ及び第２光学系Ｏｂが配置されている。
【００３０】
第１光学系Ｏａは、第１の窓１１ａと第３の窓１１ｂとを結ぶ第１の光路Ｒ１を形成し、被写体の像を所定の拡大率で撮影窓２１へ導光する。第１光学系Ｏａは、第１の光路Ｒ１上に配置された複数のレンズやプリズム等により、コンバージョンレンズとしての機能を実現する。図４Ａでは、第１光学系Ｏａが４つのレンズＬ１〜Ｌ４及び２つのプリズムＰ１、Ｐ２により構成されている例を示している。なお、コンバージョンレンズ（撮影補助具）に求められる拡大率によっては、第１の光学系Ｏａを配置するために所定の距離が必要とされる場合がある。たとえば、望遠用のコンバージョンレンズでは、第１光学系Ｏａの光路長を長く設ける必要がある。そこで、本実施形態の構成のように、携帯端末２０（後面２０ａ）の短手方向に沿って第１光学系Ｏａを配置することにより、必要な光路長を確保することができる。
【００３１】
本実施形態において、第１光学系Ｏａは、遮蔽部材Ｓで覆われている。遮蔽部材Ｓで第１光学系Ｏａを覆うことにより、第１光学系Ｏａ内に埃や外光が入ることを防止することができる。
【００３２】
ここで、撮影補助具１を装着した携帯端末２０を用いて被写体を撮影する場合、撮影指示に基づいて、第３の窓１１ｂから入射した被写体の像（光）は、第１の光路Ｒ１を介して所定の倍率で第１の窓１１ａへ導かれる。そして、被写体の像（光）は、第１の窓１１ａを介して撮影窓２１に導かれる。カメラモジュール２３は、撮影窓２１からの被写体の像（光）を取り込み電気信号に変換する。更に、カメラモジュール２３は、当該電気信号に対して画像処理を行うことで被写体の画像を生成することができる。
【００３３】
なお、第１光学系Ｏａを構成する光学部材の一部が第１の窓１１ａ及び第２の窓１１ｂとして機能してもよい。たとえば、本実施形態では、レンズＬ４が第１の窓１１ａとして機能し、レンズＬ１が第２の窓１１ｂとして機能することも可能である。
【００３４】
第２光学系Ｏｂは、第２の窓１２ａと第４の窓１２ｂとを結び、且つ第１の光路Ｒ１を迂回する第２の光路Ｒ２を形成する。第２光学系Ｏｂは、複数の光ファイバを束ねたファイバ束Ｆにより構成されている。各光ファイバは、たとえば石英ガラスからなる。光ファイバを石英ガラスで構成することにより、発光素子２４で発光した光を導光する際の光量の損失を軽減させることができる。或いは、軽量化のため、光ファイバとしてアクリル樹脂で構成されたものを用いることも可能である。
【００３５】
本実施形態における撮影補助具１を小型化するためには、第１の光路Ｒ１の光軸と第２の光路Ｒ２の光軸とが同一平面、且つ交差するように配置することが望ましい。しかし、本実施形態のように遮蔽部材Ｓがある場合には、第２の光路Ｒ２が遮蔽部材Ｓで遮られてしまう。また、遮蔽部材Ｓが無い場合であっても、光路を交差させることにより、一方の光路からの光が他方の光路に不要光として入る可能性がある。そこで、本実施形態では、第２の光路Ｒ２は、第１光学系Ｏａを覆う遮蔽部材Ｓの外形形状に沿って迂回するよう形成されている。
【００３６】
ここで、撮影補助具１を装着した携帯端末２０においてフラッシュ撮影をする場合、撮影指示に基づいて、発光素子２４がフラッシュ光を発光する。フラッシュ光は、光学窓２２を介して、第２の窓１２ａに導かれる。第２の窓１２ａと第４の窓１２ｂとは対向する位置にあるが、その間には遮蔽部材Ｓに覆われた第１光学系Ｏａ（第１の光路Ｒ１）が設けられている。よって、第２の窓１２ａからのフラッシュ光をそのまま第４の窓１２ｂに導くことができない。そこで、本実施形態において、第２光学系Ｏｂは、第１の光路Ｒ１を迂回するよう第２の光路Ｒ２を形成している。従って、フラッシュ光は、第１の光路Ｒ１を迂回した第２の光路Ｒ２を介して第４の窓１２ｂから外部に出射される。このように、第１の光路Ｒ１を迂回する第２の光路Ｒ２を形成することにより、撮影補助具１を装着しても携帯端末２０が有する光学的な機能（たとえば、フラッシュ機能）を使用することができる。
【００３７】
なお、第２光学系Ｏｂを構成する光学部材の一部が第２の窓１２ａ及び第４の窓１２ｂとして機能してもよい。たとえば、本実施形態では、ファイバ束Ｆの一端が第２の窓１２ａとして機能し、他端が第４の窓１２ｂとして機能することも可能である。また、ファイバ束Ｆの端部（或いは、各光ファイバの端部）には、光を集光させるためのレンズ（レンズ群）を設けることも可能である。この場合、当該レンズが第２の窓１２ａ及び第４の窓１２ｂとして機能することも可能である。
【００３８】
また、本実施形態では、第２光学系Ｏｂが複数の光ファイバを束ねたファイバ束Ｆで構成された例について述べたが、これに限られない。たとえば、複数のレンズやプリズム、或いはミラー等の光学素子を組み合わせて第２光学系Ｏｂを構成してもよい。或いは、単一の光ファイバｆと光学素子の組み合わせにより第２光学系Ｏｂを構成してもよい。この場合にも、形成される第２の光路Ｒ２は、第１の光路Ｒ１を迂回するよう形成される。
【００３９】
［作用・効果］
本実施形態の作用及び効果について説明する。
【００４０】
本実施形態における撮影補助具１は、筐体１０を有する。筐体１０は、携帯端末２０の表面（後面２０ａ）に所定の位置関係で配置された撮影窓２１及び光学窓２２を覆うように表面（後面２０ａ）に着脱可能に取り付けられる。筐体１０は、第１の窓１１ａと、第２の窓１２ａと、第３の窓１１ｂと、第４の窓１２ｂと、第１光学系Ｏａと、第２光学系Ｏｂとを有する。第１の窓１１ａは、携帯端末２０に筐体１０が装着された場合に、撮影窓２１に対向する位置に設けられる。第２の窓１２ａは、携帯端末２０に筐体１０が装着された場合に、光学窓２２に対向する位置に設けられる。第３の窓１１ｂは、所定の位置関係とは異なる位置関係で、第１の窓１１ａ及び第２の窓１２ａが設けられた面（後面１０ｂ）とは異なる面（前面１０ａ）に設けられた、第１の窓１１ａに対応する。第４の窓１２ｂは、所定の位置関係とは異なる位置関係で、第１の窓１１ａ及び第２の窓１２ａが設けられた面（後面１０ｂ）とは異なる面（前面１０ａ）に設けられた、第２の窓１２ａに対応する。第１光学系Ｏａは、第１の窓１１ａと第３の窓１１ｂとを結ぶ第１の光路Ｒ１を形成し、被写体の像を所定の拡大率で撮影窓２１へ導光する。第２光学系Ｏｂは、第２の窓１２ａと第４の窓１２ｂとを結び、且つ第１の光路Ｒ１を迂回する第２の光路Ｒ２を形成する。
【００４１】
このように、本実施形態における撮影補助具１によれば、携帯端末２０の撮影窓２１及び光学窓２２を覆うよう筐体１０を取り付けた場合であっても、第２の光路Ｒ２により、たとえば、光学窓２２からのフラッシュ光を外部に出射することができる。すなわち、撮影補助具１を携帯端末２０に装着した場合であっても携帯端末２０が有する光学的な機能（たとえば、フラッシュ機能）を使用することができる。また、携帯端末２０の光学的機能をそのまま使用することができるため、撮影補助具１に当該機能に対応する機能を搭載する必要がない。よって、撮影補助具１の小型化を実現することができる。
【００４２】
また、本実施形態における撮影補助具１は、遮蔽部材Ｓを有する。遮蔽部材Ｓは、筐体１０内に設けられ、第１光学系Ｏａを覆う。第２の光路Ｒ２は、遮蔽部材Ｓの形状に沿って迂回するよう形成されている。
【００４３】
第１光学系Ｏａを遮蔽部材Ｓで覆うことにより、第１光学系Ｏａに埃や外光が入ることがない。よって、埃や外光による被写体の画像への影響を抑えることが可能となる。
【００４４】
また、本実施形態において、第２光学系Ｏｂは、複数の光ファイバにより形成されるファイバ束Ｆである。
【００４５】
光ファイバ（ファイバ束Ｆ）は、屈曲性が高く、狭い筐体１０内で自由に配置することができる。従って、省スペース化（すなわち、撮影補助具１の小型化）を実現することができる。
【００４６】
＜第２実施形態＞
図５から図８を用いて第２実施形態に係る撮影補助具１について説明する。本実施形態は、２つの光学窓を有する携帯端末２０に装着される撮影補助具１の構成について説明する。第１実施形態と同様の構成については、詳細な説明を省略する。図５は、撮影補助具１が携帯端末２０に取り付けられた構成を示す。
【００４７】
［携帯端末の構成］
図６は、携帯端末２０（携帯電話）を後側（ディスプレイ等が無い側）から見た斜視図である。
【００４８】
本実施形態において、携帯端末２０の後面２０ａの左上側には、撮影窓２１と、光学窓２２ａ及び光学窓２２ｂとが所定の位置関係（後面２０ａの短手方向に並んで、且つ近接した位置）で設けられている。
【００４９】
光学窓２２ａ及び光学窓２２ｂは、携帯端末２０内に設けられた素子等に対して光を送受信する窓である。本実施形態では、光学窓２２ａは、赤外線発光素子２５ａ（図８参照）から発光された赤外光を外部に出射する。光学窓２２ｂは、外部からの赤外光を赤外線受光素子２５ｂ（図８参照）に導く。光学窓２２ａは、撮影補助具１が取り付けられていない状態において、直接、赤外線発光素子２５ａからの光を外部に出射する。光学窓２２ｂは、撮影補助具１が取り付けられていない状態においては、外部からの赤外光を直接、赤外線受光素子２５ｂに導く。赤外光は、たとえば、携帯端末間の赤外線通信に用いられる。
【００５０】
［撮影補助具の構成］
次に、図７Ａ〜図８を参照して、撮影補助具１の詳細な構成について説明を行う。図７Ａ及び図７Ｂは、撮影補助具１の斜視図である。図７Ａは、携帯端末２０に取り付けられる面（後面１０ａ）側から撮影補助具１を見た図である。図７Ｂは、後面１０ａと異なる面（前面１０ｂ）側から撮影補助具１を見た図である。図８は、図５のＣ−Ｃ断面である。
【００５１】
図７Ａに示すように、筐体１０の後面１０ａには、第１の窓１１ａと、第２の窓１３ａ及び第２の窓１４ａとが設けられている。第１の窓１１ａの構成は、第１実施形態と同様であるため詳細な説明を省略する。
【００５２】
第２の窓１３ａ及び第２の窓１４ａは、光を透過する部材（たとえば、ガラスやプラスチック）により形成されている。第２の窓１３ａは、携帯端末２０に撮影補助具１（筐体１０）が装着された場合に、携帯端末２０の光学窓２２ａに対向する位置に設けられている。第２の窓１４ａは、携帯端末２０に撮影補助具１（筐体１０）が装着された場合に、携帯端末２０の光学窓２２ｂに対向する位置に設けられている。すなわち、第１の窓１１ａ、第２の窓１３ａ及び第２の窓１４ａの位置関係は、撮影窓２１、光学窓２２ａ及び光学窓２２ｂの位置関係と等しくなっている。
【００５３】
一方、図７Ｂに示すように、筐体１０の前面１０ｂには、第３の窓１１ｂと、第４の窓１３ｂ及び第４の窓１４ｂが設けられている。第３の窓１１ｂの構成は、第１実施形態と同様であるため詳細な説明を省略する。
【００５４】
第４の窓１３ｂ及び第４の窓１４ｂは、光を透過する部材（たとえば、ガラスやプラスチック）により形成されている。第３の窓１１ｂ、第４の窓１３ｂ及び第４の窓１４ｂの位置関係は、第１の窓１１ａ、第２の窓１３ａ及び第２の窓１４ａの位置関係と異なっている。第１実施形態と同様、第３の窓１１ｂは、第１の窓１１ａに対し、筐体１０の長手方向にずれた位置（筐体１０の短手方向は同じ位置）に形成されている。第４の窓１３ｂは、第２の窓１３ａに対向する位置に設けられている。第４の窓１４ｂは、第２の窓１４ａに対向する位置に設けられている。
【００５５】
また、図８に示すように、本実施形態における第２光学系Ｏｂは、光学窓２２ａ及び光学窓２２ｂに対応する第２の光路Ｒ３及び第２の光路Ｒ４が形成されている。第２の光路Ｒ３及び第２の光路Ｒ４それぞれは、第１の光路Ｒ１を迂回するよう形成されている。
【００５６】
ここで、撮影補助具１を装着した携帯端末２０から他の携帯端末に赤外線送信をする場合について述べる。この場合、赤外光の送信指示に基づいて、赤外線発光素子２５ａが赤外光を発光する。赤外光は、光学窓２２ａを介して、第２の窓１３ａに導かれる。第２の窓１３ａと第４の窓１３ｂは対向する位置にあるが、その間には遮蔽部材Ｓに覆われた第１光学系Ｏａ（第１の光路Ｒ１）が設けられている。よって、第２の窓１３ａからの赤外光をそのまま第４の窓１３ｂに導くことができない。そこで、本実施形態において、第２光学系Ｏｂは、第１の光路Ｒ１を迂回するよう第２の光路Ｒ３を形成している。従って、赤外光は、第１の光路Ｒ１を迂回した第２の光路Ｒ３を介して第４の窓１３ｂから外部に出射される。
【００５７】
一方、撮影補助具１を装着した携帯端末２０で他の携帯端末から送信された赤外線を受信する場合について述べる。この場合、赤外光の受信指示に基づいて、赤外線受光素子２５ｂは赤外線を受光できる状態になる。また、第４の窓１４ｂから入射した赤外光は、光学窓２２ｂに導かれる。ここで、第４の窓１４ｂと第２の窓１４ａは対向する位置にあるが、その間には遮蔽部材Ｓに覆われた第１光学系Ｏａ（第１の光路Ｒ１）が設けられている。よって、第４の窓１４ｂからの赤外光をそのまま第２の窓１４ａに導くことができない。そこで、本実施形態において、第２光学系Ｏｂは、第１の光路Ｒ１を迂回するよう第２の光路Ｒ４を形成している。従って、赤外光は、第１の光路Ｒ１を迂回した第２の光路Ｒ４を介して第２の窓１４ａから光学窓２２ｂを介して赤外線受光素子２５ｂに入射する。このように、２つの光学窓２２ａ、２２ｂに対応する２つの光路（第２の光路Ｒ３、Ｒ４）を形成することにより、撮影補助具１を装着しても携帯端末２０が有する複数の光学的な機能（たとえば、赤外線送信機能と赤外線受信機能）を使用することができる。
【００５８】
なお、本実施形態では、携帯端末２０が２つの光学窓を有する例について述べたが、３つ以上であってもよい。すなわち、撮影補助具１に光学窓に対応する窓（光学窓と同じ数の窓）及び各窓に対応する光学系（光路）を設けることにより、同様の効果を得ることができる。
【００５９】
［作用・効果］
本実施形態の作用及び効果について説明する。
【００６０】
本実施形態における撮影補助具１は、第２光学系Ｏｂは、携帯端末２０に設けられた２以上の光学窓（たとえば、光学窓２２ａ、２２ｂ）に対応する２以上の第２の光路（たとえば、光路Ｒ３、Ｒ４）それぞれが、第１の光路Ｏａを迂回するよう形成されている。
【００６１】
このように、第１の光路Ｒ１を迂回する第２の光路を複数形成した場合であっても、第２の光路をそれぞれ第１の光路から迂回させることにより、撮影補助具１を装着した状態で携帯端末２０が有する光学的な機能（たとえば、赤外線送信機能と赤外線受信機能）を利用することができる。また、携帯端末２０の光学的機能をそのまま使用することができるため、撮影補助具１に当該機能に対応する機能を搭載する必要がない。よって、撮影補助具１の小型化を実現することができる。
【００６２】
＜変形例１＞
上記実施形態では、第２光学系１０ｂは、第２の光路Ｒ２（Ｒ３、Ｒ４）を遮蔽部材Ｓの外形形状に沿って迂回するよう形成した。ここで、撮影補助具１を軽量化する目的等で、遮蔽部材Ｓを設けない構成も可能である。
【００６３】
一方、第１光学系１０ａは、レンズやプリズムの組み合わせで構成され、被写体の像（光）を所定の倍率で撮影窓２１へ導光する。よって、第１の光路Ｒ１における光路径（光路を通過する光束の径）は、その位置により異なる。たとえば、光が集光する位置の光路径は、他の光路径に比べて細くなる。
【００６４】
そこで、本変形例では、第２の光路Ｒ２は、第１の光路Ｒ１において光路径が最小となる位置（たとえば、集光位置）で迂回するよう形成されている。
【００６５】
このように、第１光学系１０ａにおける光路のスペースに第２の光路Ｒ２を形成することにより、たとえば、第１実施形態に比べ、撮影補助具１の短手方向の長さを短くすることができる。すなわち、本変形例の構成によれば、撮影補助具１をより小型化することができる。
【００６６】
＜変形例２＞
第１光学系１０ａには、絞り部材Ｄが設けられる場合がある。図９は、絞り部材Ｄを正面から見た図である。図９は、手前側から絞り部材Ｄ、第２光学系１０ｂ、レンズＬの順で示している。
【００６７】
たとえば、絞り部材Ｄは、開口部ｄを有するドーナツ形状をなしており、レンズＬの後側に配置される。レンズＬに入射した光は、開口部ｄを通過することにより所定の径に調整される。つまり、絞り部材Ｄは、レンズＬに入射した光の光束を絞る。逆に、開口部ｄ以外の領域は、光を透過しない。
【００６８】
そこで、本変形例では、第２の光路Ｒ２は、レンズＬと絞り部材Ｄとの間で迂回するよう形成されている（図９参照）。
【００６９】
このように絞り部材Ｄの光を透過しない領域に第２の光路Ｒ２を形成することにより、たとえば、第１実施形態に比べ、撮影補助具１の短手方向の長さを短くすることができる。すなわち、本変形例の構成によれば、撮影補助具１をより小型化することができる。
【００７０】
＜変形例３＞
複数の光ファイバからなるファイバ束Ｆは、光ファイバｆの配置を変えることにより、ファイバ束Ｆの形状（断面形状）を変化させることができる。つまり、ファイバ束Ｆのうち、迂回する位置の近傍におけるファイバ束Ｆの断面形状と、それ以外の位置におけるファイバ束Ｆの断面形状とを異ならせることができる。
【００７１】
たとえば、図１０は、本変形例における撮影補助具１を示す断面図（図１のＢ−Ｂ断面に相当）である。図１１Ａは、図１０におけるファイバ束ＦのＤ−Ｄ断面を示す図である。図１１Ｂは、図１０におけるファイバ束ＦのＥ−Ｅ断面を示す図である。なお、図１１Ａ及び図１１Ｂにおいては、描画上、光ファイバｆ間に大きな隙間が複数箇所形成されているが、実際のファイバ束Ｆは、光ファイバｆ間の隙間が極力狭くなるように構成されている。
【００７２】
本変形例では、図１１Ａに示すように、第２の光路Ｒ２を迂回させない位置では、ファイバ束Ｆは、光学窓２２（第２の窓１２ａ、第４の窓１２ｂ）の形状に合わせた断面形状（光ファイバｆを円形に配置した形状）となっている。一方、第２の光路Ｒ２を迂回する位置では、図１１Ｂに示すように、光ファイバｆを横に並べ、ファイバ束Ｆが楕円形となる構成となっている。
【００７３】
このように、迂回する位置の近傍におけるファイバ束Ｆの断面形状を楕円形にすることで、断面形状が円形の場合に比べ、ファイバ束Ｆの厚さを撮影補助具１の短手方向に薄くすることができる。よって、撮影補助具１の短手方向の長さを短くすることができる。すなわち、本変形例の構成によれば、撮影補助具１をより小型化することができる。
【００７４】
このように、第２の光路を迂回させる位置の近傍におけるファイバ束Ｆの断面形状とそれ以外の位置におけるファイバ束Ｆの断面形状とを異なるように形成することにより、たとえば、第１実施形態に比べ、撮影補助具１の短手方向の長さを短くすることができる。すなわち、本変形例の構成によれば、撮影補助具１をより小型化することができる。
【００７５】
＜変形例４＞
たとえば、撮影補助具１を介してフラッシュ光を出射する場合、図１２に示すように、第４の窓１２ｂにファイバーアダプターＦＡを取り付ける構成としてもよい。ファイバーアダプターＦＡは、たとえば、光ファイバ単体、或いはレンズ等の光学素子を組み合わせた光学系により構成された筒状の部材である。ファイバーアダプターＦＡの径は、取り付けられる第４の窓１２ｂの径に合わせて作成されている。
【００７６】
ファイバーアダプターＦＡが装着することにより、発光素子２４からのフラッシュ光を被写体に集中させることが可能となる。
【符号の説明】
【００７７】
１  撮影補助具
１０  筐体
１０ａ  後面
１０ｂ  前面
１０ｃ  側面
１１ａ  第１の窓
１１ｂ  第３の窓
１２ａ  第２の窓
１２ｂ  第４の窓
２０  携帯端末
２１  撮影窓
２２  光学窓
２３  カメラモジュール
２４  発光素子
Ｏａ  第１光学系
Ｏｂ  第２光学系
Ｒ１  第１の光路
Ｒ２  第２の光路
【図１】
2013200473.tif 000003
【図２】
2013200473.tif 000004
【図３Ａ】
2013200473.tif 000005
【図３Ｂ】
2013200473.tif 000006
【図４Ａ】
2013200473.tif 000007
【図４Ｂ】
2013200473.tif 000008
【図５】
2013200473.tif 000009
【図６】
2013200473.tif 000010
【図７Ａ】
2013200473.tif 000011
【図７Ｂ】
2013200473.tif 000012
【図８】
2013200473.tif 000013
【図９】
2013200473.tif 000014
【図１０】
2013200473.tif 000015
【図１１Ａ】
2013200473.tif 000016
【図１１Ｂ】
2013200473.tif 000017
【図１２】
2013200473.tif 000018